(57)【要約】    【課題】両側駆動方式において、放電灯がオープン状態であることを検出し得る放電灯駆動装置、及び、液晶表示装置を提供する。    【解決手段】  第１の電圧検出素子Ｃｃ１〜Ｃｃｎ、Ｃｅ１〜Ｃｅｎは、一端が、第１及び第２の放電灯接続端子Ｐ１１〜Ｐ１ｎ、Ｐ２１〜Ｐ２ｎのうち少なくとも一方に接続されている。第２の電圧検出素子Ｃｄ１〜Ｃｄｎ、Ｃｆ１〜Ｃｆｎは、一端が第１の電圧検出素子Ｃｃ１〜Ｃｃｎ、Ｃｅ１〜Ｃｅｎの他端に接続され、他端が接地端子に導かれている。信号処理部３０は、第１の電圧検出素子Ｃｃ１〜Ｃｃｎ、Ｃｅ１〜Ｃｅｎと、第２の電圧検出素子Ｃｄ１〜Ｃｄｎ、Ｃｆ１〜Ｃｆｎとの接続点に生じる電圧Ｖ３１〜Ｖ３ｎ、Ｖ４１〜Ｖ４ｎから、放電灯２１〜２ｎのオープン状態を検知する信号Ｓ０を生成する。【選択図】      図１
2006172836.tif 000002
【特許請求の範囲】
【請求項１】
インバータ回路と、第１及び第２のトランスと、第１及び第２のバラストコンデンサと、複数の第１及び第２の放電灯接続端子と、第１及び第２の電圧検出素子と、信号処理部とを含む放電灯駆動装置であって、
前記インバータ回路は、直流電圧を交流電圧に変換して出力する回路であり、
前記第１及び第２のトランスは、入力巻線に前記インバータ回路から交流電圧が供給され、出力巻線から交流電圧を出力し、
前記第１のバラストコンデンサは、複数であり、それぞれの電極の一方が、前記第１のトランスの前記出力巻線に接続され、電極の他方が、複数備えられた前記第１の放電灯接続端子のそれぞれに接続されており、
前記第２のバラストコンデンサは、複数であり、それぞれの電極の一方が、前記第２のトランスの前記出力巻線に接続され、電極の他方が、複数備えられた前記第２の放電灯接続端子のそれぞれに接続されており、
前記第１及び第２の放電灯接続端子のそれぞれには、複数の放電灯のそれぞれが接続可能であり、
前記第１の電圧検出素子は、複数であり、それぞれの電極の一端が、前記第１及び第２の放電灯接続端子のうち少なくとも一方のそれぞれに接続されており、
前記第２の電圧検出素子は、複数であり、それぞれの電極の一端が前記第１の電圧検出素子に備えられた前記電極の他端に接続され、他端がそれぞれ接地端子に導かれており、
前記信号処理部は、前記第１の電圧検出素子及び前記第２の電圧検出素子の接続点と、前記接地端子との間に生じる電圧から、前記放電灯のオープン状態を検知する信号を生成する、
放電灯駆動装置。
【請求項２】
請求項１に記載された放電灯駆動装置であって、
前記第１の電圧検出素子、及び、前記第２の電圧検出素子は、コンデンサである、
放電灯駆動装置。
【請求項３】
請求項１又は２に記載された放電灯駆動装置であって、更に、基板を含み、
前記基板の一面に、前記第１のバラストコンデンサ又は前記第２のバラストコンデンサの前記電極の一方が設けられており、
前記基板の他面に、前記第１のバラストコンデンサ又は前記第２のバラストコンデンサの前記電極の他方が設けられている、
放電灯駆動装置。
【請求項４】
請求項２又は３に記載された放電灯駆動装置であって、
前記基板の一面に、前記第１の電圧検出素子に備えられた前記電極の他端が設けられ、
前記基板の他面に、前記第１の電圧検出素子に備えられた前記電極の一端が設けられている、
放電灯駆動装置。
【請求項５】
放電灯駆動装置と、複数の放電灯と、液晶板とを含む液晶表示装置であって、
前記放電灯駆動装置は、請求項１乃至４の何れかに記載されたものでなり、
前記複数の放電灯のそれぞれは、電極の一方が前記第１の放電灯接続端子に接続され、電極の他方が前記第２の放電灯接続端子に接続されており、
前記液晶板は、前記放電灯の前面に配置される、
液晶表示装置。
【発明の詳細な説明】
【技術分野】
【０００１】
本発明は、液晶パネルのバックライトとして用いられる放電灯を駆動する放電灯駆動装置、及び、液晶表示装置に関する。
【背景技術】
【０００２】
近年、液晶パネルの大画面化に伴い、１つの液晶パネルに、複数個のバックライト用放電灯を並列に駆動する回路方式が使用されつつある。複数個の放電灯を並列に駆動させる手段としては、複数個の放電灯の一端側をインバータ回路及びトランスに接続し、他端側を接地して駆動させる方式（以下、片側駆動方式と称する）と、複数個の放電灯の一端側をインバータ回路及びトランスに接続し、他端側を他のトランスに接続して駆動させる方式（以下、両側駆動方式と称する）とがある。
【０００３】
これら２つの方式のうち、両側駆動方式によれば、トランスの出力電圧を小さくすることができ、耐電圧の小さな回路部品を使用できるので、その分だけ低コスト化を図ることができる。
【０００４】
ところで、放電灯駆動装置においては、コネクタに対する放電灯電極の接触不良などのために、トランス−放電灯間に電流が流れていない状態（以下、オープン状態と称する）を生じることがある。このような異常状態では、正常な液晶表示動作が得られないから、これを検出しなければならない。そのための手段として、例えば、特許文献１及び特許文献２は、オープン状態を検出するための不点灯検出回路を備えた片側駆動方式の放電灯駆動装置を開示している。
【０００５】
特許文献１、２の放電灯駆動装置は、片側駆動方式であり、放電灯の他端側が接地され低電圧となるから、それぞれの放電灯の他端側と接地との間に抵抗を設け、抵抗に流れる電流を検出することにより、それぞれの放電灯について、オープン状態であるか否かを検出することができる。
【０００６】
しかしながら、両側駆動方式の放電灯駆動装置の場合、放電灯の両端にトランスが接続され、放電灯の両端が高電圧となるので、放電灯と接地との間に抵抗を設ける特許文献１、２のような回路構成をとることができない。
【０００７】
また、カレントトランス等を用いて、高電圧となっている放電灯の両端に流れる電流を検出する構成では、製品の小型化、及び、低コスト化の妨げになるという問題が生じる。
【特許文献１】特開平６−２６７６７４号公報
【特許文献２】特開２００４−２４１１３６号公報
【発明の開示】
【発明が解決しようとする課題】
【０００８】
本発明の課題は、両側駆動方式おいて、複数備えられた放電灯の少なくとも一つがオープン状態であることを検出し得る放電灯駆動装置、及び、液晶表示装置を提供することである。
【０００９】
本発明のもう一つの課題は、小型化を図り得る放電灯駆動装置、及び、液晶表示装置を提供することである。
【００１０】
本発明の更にもう一つの課題は、低コスト化を図り得る放電灯駆動装置、及び、液晶表示装置を提供することである。
【課題を解決するための手段】
【００１１】
上述した課題を解決するため、本発明に係る放電灯駆動装置は、インバータ回路と、第１及び第２のトランスと、第１及び第２のバラストコンデンサと、複数の第１及び第２の放電灯接続端子と、第１及び第２の電圧検出素子と、信号処理部とを含む。インバータ回路は、直流電圧を交流電圧に変換して出力する。第１及び第２のトランスは、入力巻線にインバータ回路から交流電圧が供給され、出力巻線から交流電圧を出力する。
【００１２】
第１のバラストコンデンサは、複数であり、それぞれの電極の一方が、第１のトランスの出力巻線に接続され、電極の他方が、複数備えられた第１の放電灯接続端子のそれぞれに接続されている。第２のバラストコンデンサは、複数であり、それぞれの電極の一方が、第２のトランスの出力巻線に接続され、電極の他方が、複数備えられた第２の放電灯接続端子のそれぞれに接続されている。第１及び第２の放電灯接続端子のそれぞれには、複数の放電灯のそれぞれが接続可能である。
【００１３】
第１の電圧検出素子は、複数であり、それぞれの電極の一端が、第１及び第２の放電灯接続端子のうち少なくとも一方のそれぞれに接続されている。第２の電圧検出素子は、複数であり、それぞれの電極の一端が、第１の電圧検出素子に備えられた電極の他端に接続され、他端がそれぞれ接地端子に導かれている。
【００１４】
信号処理部は、第１の電圧検出素子及び第２の電圧検出素子の接続点と、接地端子との間に生じる電圧から、放電灯のオープン状態を検知する信号を生成する。
【００１５】
上述した本発明に係る放電灯駆動装置は、複数の放電灯と、液晶板と組合されて液晶表示装置を構成する。複数の放電灯のそれぞれは、電極の一方が第１の放電灯接続端子に接続され、電極の他方が第２の放電灯接続端子に接続される。液晶板は、放電灯の前面に配置される。
【００１６】
上述した液晶表示装置において、放電灯のそれぞれは、第１のトランスの出力巻線から電極の一方に供給される交流電圧、及び、第２のトランスの出力巻線から電極の他方に供給される交流電圧により、両側から並列に駆動され、点灯する。放電灯の前面には、液晶板が配置されているので、放電灯は液晶板のバックライトとして働く。
【００１７】
本発明の液晶表示装置では、第１の電圧検出素子は、電極の一端が、第１及び第２の放電灯接続端子のうち少なくとも一方に接続されている。第２の電圧検出素子は、電極の一端が第１の電圧検出素子に備えられた電極の他端に接続され、電極の他端が接地端子に導かれている。
【００１８】
この構成によれば、複数の放電灯のうちの少なくとも１つがオープン状態になると、オープン状態の放電灯接続端子には、実質的に、開放電圧とみなし得る電圧が発生するので、他の正常接続状態にある放電灯接続端子に現れる電圧とは異なる電圧値を示す。このため、第１の電圧検出素子及び第２の電圧検出素子の接続点と、接地端子との間に生じる電圧が変化することとなる。
【００１９】
信号処理部は、第１の電圧検出素子及び第２の電圧検出素子の接続点と、接地端子との間に生じる電圧から、放電灯のオープン状態を検知し、放電灯のオープン状態を検知する信号を生成することができる。
【００２０】
生成された放電灯のオープン状態を検知する信号の利用は種々である。例えば、放電灯のオープン状態を検知する信号によって、インバータ回路の動作を制限したり、或いは、オープン状態の表示に留めるなどの利用が考えられる。
【００２１】
しかも、本発明の液晶表示装置は、電流ではなく電圧を検出するから、コンデンサ等からなる第１、第２の電圧検出素子を用いて構成することができ、製品の小型化、及び、低コスト化を図ることができる。
【発明の効果】
【００２２】
以上のべたように、本発明によれば、次のような効果を得ることができる。
（ａ）両側駆動方式おいて、複数備えられた放電灯の少なくとも一つがオープン状態であることを検出し得る放電灯駆動装置、及び、液晶表示装置を提供することができる。
（ｂ）小型化を図り得る放電灯駆動装置、及び、液晶表示装置を提供することができる。
（ｃ）低コスト化を図り得る放電灯駆動装置、及び、液晶表示装置を提供することができる。
【００２３】
本発明の他の特徴及びそれによる作用効果は、添付図面を参照し、実施例によって更に詳しく説明する。
【発明を実施するための最良の形態】
【００２４】
図１は本発明に係る放電灯駆動装置を組み込んだ放電灯点灯装置の一実施例を示す電気回路図である。この放電灯点灯装置は、例えば、液晶ＴＶ、モニター等のバックライト装置に利用される。図示の放電灯点灯装置は、両側駆動方式（フローティング方式）であり、マスタ装置３１と、スレ−ブ装置３２と、第１及び第２のバラストコンデンサＣ１１〜Ｃ１ｎ、Ｃ２１〜Ｃ２ｎと、第１の電圧検出素子Ｃｃ１〜Ｃｃｎ、Ｃｅ１〜Ｃｅｎと、第２の電圧検出素子Ｃｄ１〜Ｃｄｎ、Ｃｆ１〜Ｃｆｎと、信号処理部３０と、第１及び第２の基板３１０、３２０と、放電灯２１〜２ｎとを含む。放電灯点灯装置から放電灯２１〜２ｎを除いた回路部分が、本発明に係る放電灯駆動装置に相当し、これらは、放電灯２１〜２ｎとは異なる装置として取引の対象となる。
【００２５】
マスタ装置３１は、インバータ回路１１と、第１のトランスＴ１１とを含む。インバータ回路１１は、直流電源Ｖｉｎを交流電圧に変換して出力する。直流電源Ｖｉｎは、一般には、商用交流電源を直流変換した後、ＤＣ／ＤＣコンバータで変換して得られる。
【００２６】
第１のトランスＴ１１は、入力巻線Ｌ１１と、出力巻線Ｌ１２とを含む。入力巻線Ｌ１１は、インバータ回路１１から交流電圧が供給される。出力巻線Ｌ１２は、低圧側出力端が接地され、高圧側出力端から第１の交流電圧Ｖ１を出力する。第１の交流電圧Ｖ１は、例えば、８００Ｖ程度の交流高電圧である。
【００２７】
スレ−ブ装置３２は、第２のトランスＴ２１を含む。第２のトランスＴ２１は、入力巻線Ｌ２１と、出力巻線Ｌ２２とを含む。入力巻線Ｌ２１は、インバータ回路１１から交流電圧が供給される。出力巻線Ｌ２２は、低圧側出力端が接地され、高圧側出力端から第２の交流電圧Ｖ２を出力する。
【００２８】
第２の交流電圧Ｖ２は、例えば、８００Ｖ程度の交流高電圧であり、第１の交流電圧Ｖ１に対して、１８０度の位相差を持つ。このような両側駆動方式によれば、トランスＴ１１、Ｔ２１の出力電圧を小さくすることができ、耐電圧の小さな回路部品を使用できるので、その分だけ低コスト化を図ることができる。
【００２９】
図示はされていないが、出力巻線Ｌ１２の低圧側出力端−接地間に流れる電流、及び、出力巻線Ｌ２２の低圧側出力端−接地間に流れる電流を検出し、インバータ回路１１にフィードバックし、定電流制御を行うことが好ましい。
【００３０】
第１のバラストコンデンサＣ１１〜Ｃ１ｎのそれぞれは、電極の一方が共通に接続されて、第１のトランスＴ１１の出力巻線Ｌ１２に導かれ、電極の他方が第１の放電灯接続端子Ｐ１１〜Ｐ１ｎのそれぞれに個別的に接続されている。第１の放電灯接続端子Ｐ１１〜Ｐ１ｎは、放電灯２１〜２ｎの電極の一方に接続するためのものである。
【００３１】
第２のバラストコンデンサＣ２１〜Ｃ２ｎのそれぞれは、電極の一方が共通に接続されて、第２のトランスＴ２１の出力巻線Ｌ２２に導かれ、電極の他方が第２の放電灯接続端子Ｐ２１〜Ｐ２ｎのそれぞれに個別的に接続されている。第２の放電灯接続端子Ｐ２１〜Ｐ２ｎは、放電灯２１〜２ｎの電極の他方に接続するためのものである。
【００３２】
バラストコンデンサＣ１１〜Ｃ１ｎ、Ｃ２１〜Ｃ２ｎのそれぞれの容量値は、基本的には、ほぼ等しい値に選定されるが、それぞれの放電灯の管電流のバラツキに応じて、若干異ならせることが好ましい。
【００３３】
図１において、第１の電圧検出素子Ｃｃ１の電極の一端は、第１の放電灯接続端子Ｐ１１に接続されている。第２の電圧検出素子Ｃｄ１は、電極の一端が第１の電圧検出素子Ｃｃ１に備えられた電極の他端に接続され、電極の他端が接地端子に導かれている。接地端子とは、接地（ＧＮＤ）に接続される端子である。
【００３４】
同様に、第１の電圧検出素子Ｃｃ２〜Ｃｃｎの電極の一端は、第１の放電灯接続端子Ｐ１２〜Ｐ１ｎに接続され、第２の電圧検出素子Ｃｄ２〜Ｃｄｎは、電極の一端が第１の電圧検出素子Ｃｃ２〜Ｃｃｎに備えられた電極の他端に接続され、電極の他端が接地端子に導かれている。実施例において、第１、第２の電圧検出素子Ｃｃ１〜Ｃｃｎ、Ｃｄ１〜Ｃｄｎ、Ｃｅ１〜Ｃｅｎ、Ｃｆ１〜Ｃｆｎは、コンデンサであるが、抵抗、インダクタ等で構成してもよい。
【００３５】
第１の電圧検出素子Ｃｃ１〜Ｃｃｎを、第１の放電灯接続端子Ｐ１１〜Ｐ１ｎに接続すること、即ち、バラストコンデンサＣ１１〜Ｃ１ｎの電極のうち、共通接続されない電極に接続する点は、電圧検出に不可欠である。なぜなら、第１の電圧検出素子Ｃｃ１〜Ｃｃｎを、バラストコンデンサＣ１１〜Ｃ１ｎの共通接続された電極側に接続したのでは、第１の電圧検出素子Ｃｃ１〜Ｃｃｎは、第1のトランスＴ１１の出力巻線L１２に現れる電圧を検出することになってしまい、オープン状態の電圧変化を捉えることができないからである。
【００３６】
第２の放電灯接続端子Ｐ２１〜Ｐ２ｎと、第１の電圧検出素子Ｃｅ１〜Ｃｅｎとの関係、及び、第１の電圧検出素子Ｃｅ１〜Ｃｅｎと第２の電圧検出素子Ｃｆ１〜Ｃｆｎとの関係は、第１の放電灯接続端子Ｐ１１〜Ｐ１ｎと、第１の電圧検出素子Ｃｃ１〜Ｃｃｎとの関係、及び、第１の電圧検出素子Ｃｃ１〜Ｃｃｎと第２の電圧検出素子Ｃｄ１〜Ｃｄｎとの関係と同じであるので、詳細は省略する。
【００３７】
信号処理部３０は、第１の電圧検出素子Ｃｃ１〜Ｃｃｎと第２の電圧検出素子Ｃｄ１〜Ｃｄｎとの接続点に生じる電圧Ｖ３１〜Ｖ３ｎ、及び、第１の電圧検出素子Ｃｅ１〜Ｃｅｎと第２の電圧検出素子Ｃｆ１〜Ｃｆｎとの接続点に生じる電圧Ｖ４１〜Ｖ４ｎが供給され、これらの信号を用いて、放電灯２１〜２ｎのオープン状態を検知する信号Ｓ０を生成する。信号処理部３０は、ソフトウエアで構成することもできるし、ＩＣ、電子部品などによって構成してもよい。
【００３８】
放電灯２１〜２ｎは、例えば、冷陰極放電灯等のＣＣＦＬタイプである。放電灯２１〜２ｎのそれぞれは、長手方向が一致するようにして、整列して配置されている。放電灯２１〜２ｎは、長手方向の両端部に電極が備えられている。
【００３９】
放電灯２１〜２ｎの電極の一方は、第１の放電灯接続端子Ｐ１１〜Ｐ１ｎを介して、第１のバラストコンデンサＣ１１〜Ｃ１ｎの電極の他方に導かれている。放電灯２１〜２ｎの電極の他方は、第２の放電灯接続端子Ｐ２１〜Ｐ２ｎを介して、第２のバラストコンデンサＣ２１〜Ｃ２ｎの電極の他方に導かれている。
【００４０】
図１に示した放電灯点灯装置は、液晶板と組み合わされて液晶表示装置を構成する。図２は、図１に示した放電灯点灯装置を組み込んだ液晶表示装置の部分断面図である。
【００４１】
図２において、背面板５の一面上には、放電灯２１〜２ｎが互いに間隔を隔てて、整列して配置されている。放電灯２１〜２ｎの前面には、液晶板６が配置されている。液晶板６は、背面板５の周辺に立ち上げた立ち上げ部５１、５２に取り付けられている。背面板５の他面には、図１に示した回路構成を持つ第１、第２の基板３１０、３２０が取り付けられている。
【００４２】
次に、図２に示した液晶表示装置について、その動作を説明する。全ての放電灯２１〜２ｎが正常な接続状態にある場合（オープン状態ではない場合）、放電灯２１〜２ｎは、電極の一方に第1の交流電圧Ｖ１が印加され、電極の他方に第２の交流電圧Ｖ２が印加され、点灯する。放電灯２１〜２ｎの前面には、液晶板６が配置されているので、放電灯２１〜２ｎは液晶板６のバックライトとして働く。
【００４３】
次に、オープン状態になった場合の動作について、図３を参照して説明する。図３は、一例として、放電灯２１が第１の放電灯接続端子P１１との間でオープン状態になり、放電灯２２が第２の放電灯接続端子P２２との間でオープン状態になった場合を示している。
まず、放電灯２１が第１の放電灯接続端子P１１との間でオープン状態なった場合について説明する。
【００４４】
上述したように、第１の電圧検出素子Ｃｃ１の電極の一端は、第１の放電灯接続端子Ｐ１１に接続されており、第２の電圧検出素子Ｃｄ１は、電極の一端が第１の電圧検出素子Ｃｃ１に備えられた電極の他端に接続され、電極の他端が接地端子に導かれている。
【００４５】
このため、放電灯２１が第１の放電灯接続端子Ｐ１１との間でオープン状態になると、第１の放電灯接続端子Ｐ１１に生じる電圧が、実質的に開放電圧とみなし得る値まで上昇し、これに対応して、第１の電圧検出素子Ｃｃ１と第２の電圧検出素子Ｃｄ１との接続点に生じる電圧Ｖ３１も変化する。第１の放電灯接続端子P１２〜P１ｎと、放電灯２２〜２ｎとの間でオープン状態になった場合も同様である。
【００４６】
次に、放電灯２２が第２の放電灯接続端子P２２との間でオープン状態になった場合について説明する。第１の電圧検出素子Ｃｅ２の電極の一端は、第２の放電灯接続端子Ｐ２２に接続されており、第２の電圧検出素子Ｃｆ２は、電極の一端が第１の電圧検出素子Ｃｄ２に備えられた電極の他端に接続され、電極の他端が接地端子に導かれている。
【００４７】
このため、放電灯２２が放電灯接続端子Ｐ２２との間でオープン状態になると、第２の放電灯接続端子Ｐ２２に生じる電圧が、実質的に開放電圧とみなし得る値まで上昇し、これに対応して、第１の電圧検出素子Ｃｅ２と第２の電圧検出素子Ｃｆ２との接続点に生じる電圧Ｖ４２も変化する。第２の放電灯接続端子P２１，Ｐ２３〜P２ｎと、放電灯２１，２３〜２ｎとの間でオープン状態になった場合も同様である。
【００４８】
信号処理部３０は、電圧Ｖ３１〜Ｖ３ｎ、Ｖ４１〜Ｖ４ｎに対応する信号が供給され、これらの信号から、放電灯２１〜２ｎのいずれかに異常があったことを検出し、オープン状態を検知する信号Ｓ０を出力する。
【００４９】
具体的には、例えば、全ての放電灯接続端子Ｐ１１〜Ｐ１ｎ、Ｐ２１〜Ｐ２ｎが正常な接続状態にある場合（オープン状態ではない場合）、放電灯接続端子Ｐ１１〜Ｐ１ｎ、Ｐ２１〜Ｐ２ｎに生じる電圧は、例えば、ピーク電圧０．８ｋＶ程度である。
【００５０】
これに対して、例えば、放電灯接続端子Ｐ１１がオープン状態になり、浮いた状態になると、第１の放電灯接続端子Ｐ１１に生じる電圧が、実質的に、開放電圧とみなし得る電圧値まで、大幅に上昇し（例えば、ピーク電圧１．８ｋＶ）、第１の電圧検出素子Ｃｃ１と第２の電圧検出素子Ｃｄ１との接続点に生じる電圧Ｖ３１も大幅に上昇する。信号処理部30は、この電圧の変化を捉えて、信号Ｓ０を生成する。放電灯接続端子Ｐ１２〜Ｐ１ｎ、Ｐ２１〜Ｐ２ｎがオープン状態となったときも、同様に説明できる。
【００５１】
生成された放電灯のオープン状態を検知する信号Ｓ０の利用は種々である。例えば、インバータ回路１１の動作を制限したり、或いは、オープン状態の表示に留めるなどの利用が考えられる。
【００５２】
しかも、本発明の液晶表示装置は、電流ではなく電圧を検出するから、コンデンサ等からなる第１、第２の電圧検出素子を用いて構成することができ、製品の小型化、及び、低コスト化を図ることができる。
【００５３】
バラストコンデンサや電圧検出素子を構成するコンデンサは、チップ部品などを用いてもよいが、基板の有する誘電率を利用して、基板の上に形成してもよい。その具体例を、図４〜図７に示す。図４は図１に示した放電灯駆動装置に用いられる基板の平面図、図５は図４に示した基板の底面図、図６は図４の６―６線に沿った断面図、図７は図４の７―７線に沿った断面図である。
【００５４】
図４〜図７において、第１の基板３１０は、一面側３１１と、他面側３１２とが、互いに対向する。一面側３１１において、部品搭載部Ａには、例えば、インバータ回路１１、第１のトランスＴ１１等が搭載される。パターン６１は、第１のバラストコンデンサＣ１１〜Ｃ１ｎに備えられた電極の一方であり、パターン８１〜８ｎは、第１の電圧検出素子Ｃｃ１〜Ｃｃｎに備えられた電極の他端である。
【００５５】
他面側３１２には、パターン群７が設けられている。パターン群７は、パターン７１、７２、・・・７ｎを含む。パターン７１〜７ｎは、第１のバラストコンデンサＣ１１〜Ｃ１ｎに備えられた電極の他方、及び、第１の電圧検出素子Ｃｃ１〜Ｃｃｎに備えられた電極の一端が一体に形成されたものである。
【００５６】
図において、第１の電圧検出素子の電極面積をＳ１、第１の基板３１０の厚みをｄ１、真空の電率をε0、第１の基板３１０の比誘電率をεrとしたとき、第１の電圧検出素子Ｃｃ１〜Ｃｃｎの静電容量は、
Ｃｃ１〜Ｃｃｎ＝（ε0εrＳ１）／ｄ１
となる。
【００５７】
同様に、第１のバラストコンデンサの電極面積をＳ２としたとき、第１のバラストコンデンサＣ１１〜Ｃ１ｎの静電容量は、
Ｃ１１〜Ｃ１ｎ＝（ε0εrＳ２）／ｄ１
となる。
【００５８】
第２の基板３２０は、第１の基板３１０と同様の構成を有する。具体的には、部品搭載部Ａに第２のトランスＴ２１が搭載され、パターン６１が、第２のバラストコンデンサＣ２１〜Ｃ２ｎに備えられた電極の一方となる。パターン８１〜８ｎは、第１の電圧検出素子Ｃｅ１〜Ｃｅｎに備えられた電極の他端である。パターン７１〜７ｎは、第２のバラストコンデンサＣ２１〜Ｃ２ｎに備えられた電極の他方、及び、第１の電圧検出素子Ｃｅ１〜Ｃｅｎに備えられた電極の一端となる。
【００５９】
図示の実施例では、第１の電圧検出素子Ｃｃ１〜Ｃｃｎ、及び、バラストコンデンサＣ１１〜Ｃ１ｎを同一の基板３１０に形成しているので、低コスト及び小型化を図ることができる。基板３２０についても同様である。
【００６０】
更に、第１のバラストコンデンサに備えられた電極の他方、及び、第１の電圧検出素子に備えられた電極の一端を共通化し、パターン７１〜７ｎとしているから、低コスト及び小型化を図ることができる。
【００６１】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００６２】
【図１】本発明に係る放電灯駆動装置を組み込んだ放電灯点灯装置の一実施例を示す電気回路図である。
【図２】図１に示した放電灯点灯装置を組み込んだ液晶表示装置の部分断面図である。
【図３】図１に示した放電灯点灯装置において放電灯のオープン状態を生じた場合について説明する図である。
【図４】図１に示した放電灯駆動装置に用いられる基板の平面図である。
【図５】図４に示した基板の底面図である。
【図６】図４の６―６線に沿った断面図である。
【図７】図４の７―７線に沿った断面図である。
【符号の説明】
【００６３】
１１                              インバータ回路
Ｔ１１、Ｔ２１                    第１、第２のトランス
Ｃｃ１〜Ｃｃｎ、Ｃｅ１〜Ｃｅｎ    第１の電圧検出素子
Ｃｄ１〜Ｃｄｎ、Ｃｆ１〜Ｃｆｎ    第２の電圧検出素子
３０                              信号処理部
２１〜２ｎ                        放電灯
【図１】
2006172836.tif 000003
【図２】
2006172836.tif 000004
【図３】
2006172836.tif 000005
【図４】
2006172836.tif 000006
【図５】
2006172836.tif 000007
【図６】
2006172836.tif 000008
【図７】
2006172836.tif 000009